(57)【要約】      （修正有）【課題】マウス操作する際の補助具としてマウス操作によって生じる腕・手首の疲労を低減させる製品を提供する。【解決方法】腕載置盤１に腕をのせ、マウスaを手でつかんで所望した方向に所望した距離を腕載置盤１が全方位移動が自由に動くようにすることで、マウス操作を円滑に行い、腕・手首の疲労を低減させる。【選択図】図２
0003150771.tif 000002
【実用新案登録請求の範囲】
【請求項１】
腕載置体の底面部に全方位移動可能な移動体を備えた、マウス操作用腕載置盤。
【請求項２】
腕載置体と移動体で構成した、請求項１記載のマウス操作用腕載置盤。
【請求項３】
腕載置体の底面に移動体を組み込む為に凹部を設け、ボールを組み込んだ移動体を上記凹部に取り付けた、請求項2記載のマウス操作用腕載置盤。
【請求項４】
腕載置体の底面にボールを組み込んだ移動体を取り付けた、請求項2記載のマウス操作用腕載置盤。
【請求項５】
ボール止盤とボール受盤とその間にボールを挟み込んで固定して構成した、請求項１記載のマウス操作用腕載置盤。
【考案の詳細な説明】
【技術分野】
【０００１】
本考案は、マウス操作用腕載置盤に関するものである。
【背景技術】
【０００２】
マウス(コンピュターの入力装置)を操作するには、当該マウスを準備した机上の空域に載置して移動させて用いるようにしており、マウス操作を円滑に行う事の出来るものとして特別なものはなく、マウス操作者は机上に腕を載置して手首を動かすようにして当該マウスを所望の方向に移動させるようにしているのが一般である。マウス操作台と一体型の全方位移動自在のマウス操作用補助盤(特許文献１)があります。
【先行技術文献】
【特許文献】
【０００３】
【特許文献１】特開平11−65760公報
【考案の概要】
【考案が解決しようとする課題】
【０００４】
机上に置いて、腕を固定した状態で手首のみを動かしてマウスを操作ため、疲労し易く、この疲労し易さに対する工夫が何等なされていない。マウス操作用補助盤(特開平11−65760)では、全方位移動自在ではあるが移動距離が短かく、所望の位置まで移動しない。その都度マウスを持ち上げ位置を変えることにより、マウス操作者に係る負荷は大きく疲労し易い。これらを鑑みマウス操作に好適な製品を提供することを目的に創案したものである。
【課題を解決するための手段】
【０００５】
本考案はマウス操作用腕載置盤自体が移動出来るように腕載置体の底部に移動体を取り付け自由に移動出来るようにしたものである。移動体はボール止盤とボール受盤にボールを組み合わせ、ボール受盤よりボールを飛びださせたもので、ボールが机上面もしくは、マウスパッド面の接地面を全方位移動が自在で滑らかに転がることにより解決するものである。
【考案の効果】
【０００６】
本考案に係るマウス操作用腕載置盤は、常時、腕を腕載置体に載せたままで、全方位移動自在で所望どおりに移動する。所望どおりに移動することにより円滑なマウス操作を実現し、腕を持ち上げたり、手首を固定する事無く、マウス操作における疲労を低減するものである。また、本考案したマウス操作用腕載置盤は必要最小限の大きさに抑える事が出来る事で机上の有効スペースを確保するものである。
【図面の簡単な説明】
【０００７】
【図１】図１は本考案に係るマウス操作用腕載置盤の一実施例を示し、腕載置体をカットした平面図である。
【図２】図２は図１の平面図である。
【図３】図3は図１のX - X’線断面図である。
【考案を実施するための形態】
【０００８】
図面は本考案に係るマウス操作用腕載置盤の一実施例を示し、図１は腕載置体をカットした平面図、図2は平面図、図3は  X - X’線断面図である。1は腕載置体で2は移動体です。1の腕載置体は弾性材5とジェル状弾性材4を套装する装飾シート3を重合固着する一方、2の移動体を1底部に設けた凹部に取り付ける。2の移動体はボール8をボール止盤6とボール受盤7で挟み込み6,7を固着して構成したものである。
【０００９】
腕載置体の底部に全方位移動自在の移動体備えたもの。
【００１０】
凹部を設けていない腕載置体の底部に2の移動体を取り付けたもの。
【００１１】
マウス操作者は腕を受盤3上に載置し、(弾性材4がクッションとなる)、マウスaを手でつかんで所望した方向に動かそうとするとマウス操作用腕載置盤は机上面もしくは、マウスパッド面を所望した方向に動き、当該マウス操作者の腕・手首の負荷を低減し、マウス操作が円滑に行われる。
【符号の説明】
【００１２】
１    腕載置体
２    移動体
３    装飾シート
４    ジェル状弾性材
５    弾性材
６    ボール止盤
７    ボール受盤
８    ボール
【図１】
0003150771.tif 000003
【図２】
0003150771.tif 000004
【図３】
0003150771.tif 000005
【手続補正書】
【提出日】平成21年3月26日(2009.3.26)
【手続補正１】
【補正対象書類名】実用新案登録請求の範囲
【補正対象項目名】全文
【補正方法】変更
【補正の内容】
【実用新案登録請求の範囲】
【請求項１】
腕を載置する腕載置体部と、
該腕載置体部の下部に設けられ、ボールが組み込まれた移動体部と、を備え、
該移動体部は、机面上またはマウスパット面上を前記ボールが回転することにより前記腕載置体部を移動可能にしたことを特徴とするマウス操作用腕載置盤。
【請求項２】
前記腕載置部の下部に前記移動体部を組み込む為に凹部を設け、前記移動体部を前記凹部に取り付けた請求項１記載のマウス操作用腕載置盤。
【請求項３】
前記移動体部は、前記ボールを収納し、下面に前記ボールの一部を突出させる突出孔が設けられた請求項１記載のマウス操作用腕載置盤。
【手続補正２】
【補正対象書類名】明細書
【補正対象項目名】全文
【補正方法】変更
【補正の内容】
【考案の詳細な説明】
【技術分野】
【０００１】
本考案は、マウス操作用腕載置盤に関するものである。
【背景技術】
【０００２】
マウス(コンピュターの入力装置)を操作するには、当該マウスを準備した机上の空域に
載置して移動させて用いるようにしており、マウス操作を円滑に行う事の出来るものとし
て特別なものはなく、マウス操作者は机上に腕を載置して手首を動かすようにして当該マ
ウスを所望の方向に移動させるようにしているのが一般である。マウス操作台と一体型の
全方位移動自在のマウス操作用補助盤(特許文献１)があります。
【先行技術文献】
【特許文献】
【０００３】
【特許文献１】特開平１１−６５７６０号公報
【考案の概要】
【考案が解決しようとする課題】
【０００４】
机上に置いて、腕を固定した状態で手首のみを動かしてマウスを操作ため、疲労し易く
、この疲労し易さに対する工夫が何等なされていない。マウス操作用補助盤(特開平１１−６
５７６0)では、全方位移動自在ではあるが移動距離が短かく、所望の位置まで移動しない。
その都度マウスを持ち上げ位置を変えることにより、マウス操作者に係る負荷は大きく疲
労し易い。これらを鑑みマウス操作に好適な製品を提供することを目的に創案したもので
ある。
【課題を解決するための手段】
【０００５】
本考案はマウス操作用腕載置盤自体が移動出来るように腕載置体の底部に移動体を取り
付け自由に移動出来るようにしたものである。移動体はボール止盤とボール受盤にボール
を組み合わせ、ボール受盤よりボールを飛びださせたもので、ボールが机上面もしくは、
マウスパッド面の接地面を全方位移動が自在で滑らかに転がることにより解決するもので
ある。
【０００６】
本考案のマウス操作用腕載置盤は、腕を載置する腕載置体部と、腕載置体部の下部に設けられ、ボールが組み込まれた移動体部と、を備え、移動体部は、机面上またはマウスパット面上をボールが回転することにより腕載置体部を移動可能にしたことを特徴とする。
【０００７】
本考案のマウス操作用腕載置盤は、腕載置部の下部に移動体部を組み込む為に凹部を設け、移動体部を凹部に取り付けている。
【０００８】
本考案のマウス操作用腕載置盤は、移動体部は、ボールを収納し、下面にボールの一部を突出させる突出孔が設けられた。
【考案の効果】
【０００９】
本考案に係るマウス操作用腕載置盤は、常時、腕を腕載置体に載せたままで、全方位移
動自在で所望どおりに移動する。所望どおりに移動することにより円滑なマウス操作を実
現し、腕を持ち上げたり、手首を固定する事無く、マウス操作における疲労を低減するも
のである。また、本考案したマウス操作用腕載置盤は必要最小限の大きさに抑える事が出
来る事で机上の有効スペースを確保するものである。
【図面の簡単な説明】
【００１０】
【図１】図１は本考案に係るマウス操作用腕載置盤の一実施例を示し、腕載置体をカットした平面図である。
【図２】図２は図１の平面図である。
【図３】図３は図１のX−X’線断面図である。
【考案を実施するための形態】
【００１１】
図面は本考案に係るマウス操作用腕載置盤の一実施例を示し、図１は腕載置体をカット
した平面図、図２は平面図、図３はX−X’線断面図である。１は腕載置体（腕載置体部）で２は移動体（移動体部）である。腕載置体１は弾性材５とジェル状弾性材４を套装する装飾シート３を重合固着する一方、移動体２を１底部に設けた凹部に取り付ける。移動体２はボール８をボール止盤６とボール受盤７で挟み込み、ボール止盤６とボール受盤７を固着して、ボールを収納して構成したものであり、下面にボールの一部を突出させる突出孔が設けられている。
【００１２】
なお、本実施形態では、腕載置体１の底部に全方位移動自在の移動体を備えたものを示して説明しているが、凹部を設けていない腕載置体１の底部に移動体２を取り付けたものでもよい。
【００１３】
マウス操作者は腕を装飾シート３上に載置し、(弾性材４がクッションとなる)、マウスaを手でつかんで所望した方向に動かそうとするとマウス操作用腕載置盤は机上面もしくは、マウスパッド面を所望した方向に動き、当該マウス操作者の腕・手首の負荷を低減し、マウス操作が円滑に行われる。
【符号の説明】
【００１４】
１    腕載置体（腕載置体部）
２    移動体（移動体部）
３    装飾シート
４    ジェル状弾性材
５    弾性材
６    ボール止盤
７    ボール受盤
８   
ボール